(57)【要約】【課題】スリンガとシールとの間に侵入した異物を効果的に排出して滞留するのを低減することができる転がり軸受の密封装置を提供する。【解決手段】外輪１４に固定され外輪１４と共に回転するシール２０と、シール２０の軸受外方側であって内輪１２に固定されるスリンガ３０とを備え、シール２０とスリンガ３０との間に形成される環状の隙間がスリンガ３０の径方向外方側で軸受の外部に開口されてラビリンスＲを構成する転がり軸受の密封装置であって、スリンガ３０の軸受内方側に突起３３が形成される。【選択図】図２
2013204755.tif 000002
【特許請求の範囲】
【請求項１】
外輪に固定されこの外輪と共に回転するシールと、前記シールの軸受外方側であって内輪に固定されるスリンガとを備え、前記シールと前記スリンガとの間に形成される環状の隙間が前記スリンガの径方向外方側で軸受の外部に開口されてラビリンスを構成する転がり軸受の密封装置であって、
前記スリンガの軸受内方側に突起が形成されることを特徴とする転がり軸受の密封装置。
【請求項２】
前記突起は、前記スリンガの径方向に形成されることを特徴とする請求項１に記載の転がり軸受の密封装置。
【請求項３】
前記突起は、前記密封装置が使用される状態の姿勢において軸線方向断面で見て、前記密封装置の軸線に対して下側に配置されることを特徴とする請求項１又は請求項２に記載の転がり軸受の密封装置。
【請求項４】
前記突起は、弾性体からなり前記スリンガに固着されて前記シールの軸受外方側の端面に摺接することを特徴とする請求項１〜３のいずれか１項に記載の転がり軸受の密封装置。
【発明の詳細な説明】
【技術分野】
【０００１】
本発明は、転がり軸受の密封装置に関する。
【背景技術】
【０００２】
従来、例えば自動車のエンジン周辺補機に使用されるアイドラプーリの転がり軸受は、水や塵（以下、総称して「異物」と記載する。）が軸受の内部に侵入することを防止するために、環状のシールで外輪と内輪との間を覆う密封装置を備えている。この密封装置は、シールの外周側を外輪に固定し、シールの内周側にリップを設けて内輪に摺接している。
【０００３】
上記の転がり軸受は、高速回転で使用されるので、内輪に摺接するリップの発熱を防ぐために、リップは内輪に対して小さい接触圧力、所謂軽接触して摺動している。そのため、シールのみでは軸受内部への異物の侵入を防ぐことは困難である。そこで、シールの軸受外方側にシールに対向してスリンガと呼ばれる遮蔽板を設け、異物がシールに直接当らない構成とした転がり軸受の密封装置がある。（例えば、特許文献１を参照）
【先行技術文献】
【特許文献】
【０００４】
【特許文献１】特開平１１−２３０１７９号公報
【発明の概要】
【発明が解決しようとする課題】
【０００５】
しかしながら、上記の転がり軸受の密封装置では、スリンガとシールとの間の隙間に侵入した異物が滞留し、滞留した異物がリップの摺接部へ接近する。その結果、異物が軸受内部に侵入する場合がある。そこで、転がり軸受の密封装置は、スリンガとシールとの間に侵入した異物を効果的に排出して滞留するのを低減することが課題となっていた。
【０００６】
本発明は、このような課題を解決するためになされたものであって、スリンガとシールとの間に侵入した異物を効果的に排出して滞留するのを低減することができる転がり軸受の密封装置を提供することを目的とする。
【課題を解決するための手段】
【０００７】
上記の課題を解決するため、請求項１に係る転がり軸受の密封装置の構成上の特徴は、外輪に固定されこの外輪と共に回転するシールと、前記シールの軸受外方側であって内輪に固定されるスリンガとを備え、前記シールと前記スリンガとの間に形成される環状の隙間が前記スリンガの径方向外方側で軸受の外部に開口されてラビリンスを構成する転がり軸受の密封装置であって、前記スリンガの軸受内方側に突起が形成されることである。
【０００８】
請求項１の転がり軸受の密封装置によれば、スリンガの軸受内方側に突起が形成されるので、スリンガとシールとの間に侵入した異物を堰き止め、そして、径方向外方へ効果的に排出して滞留するのを低減することができる。
ことができる。
【０００９】
請求項２に係る転がり軸受の密封装置の構成上の特徴は、前記突起は、前記スリンガの径方向に形成されることである。
【００１０】
請求項２の転がり軸受の密封装置によれば、突起が径方向に形成されるので、スリンガとシールとの間に侵入した異物を効果的に堰き止め、そして、径方向外方へ効果的に排出して滞留するのを低減することができる。
【００１１】
請求項３に係る転がり軸受の密封装置の構成上の特徴は、前記突起は、前記密封装置が使用される状態の姿勢において軸線方向断面で見て、前記密封装置の軸線に対して下側に配置されることである。
【００１２】
請求項３の転がり軸受の密封装置によれば、突起により堰き止められた異物が重力方向へ排出されるので、排出された異物が再び密封装置に降りかかるのを防止でき、スリンガとシールとの間に滞留するのを低減することができる。
【００１３】
請求項４に係る転がり軸受の密封装置の構成上の特徴は、前記突起は、弾性体からなり前記スリンガに固着されて前記シールの軸受外方側の端面に摺接することである。
【００１４】
請求項４の転がり軸受の密封装置によれば、弾性体からなる突起がシールに摺接するので、スリンガとシールとの間に侵入した異物を確実に堰き止め、そして、径方向外方へ効果的に排出して滞留するのを低減することができる。
【発明の効果】
【００１５】
本発明によれば、スリンガとシールとの間に侵入した異物を効果的に排出して滞留するのを低減することができる転がり軸受の密封装置を提供できる。
【図面の簡単な説明】
【００１６】
【図１】本発明の一実施形態である転がり軸受の密封装置を備えた軸受を使用したアイドラプーリの部分断面図である。
【図２】図１の転がり軸受の密封装置に関する部分の拡大断面図である。
【図３】図２におけるスリンガのＡ−Ａ矢視図である。
【図４】図３におけるスリンガのＢ−Ｂ断面図である。
【発明を実施するための形態】
【００１７】
以下、本発明の転がり軸受の密封装置を具体化した実施形態について図面を参照しつつ説明する。
図１は、本発明の一実施形態である転がり軸受の密封装置を備えた転がり軸受１０を使用したアイドラプーリ４０の部分断面図である。図１を参照しつつ説明する。
【００１８】
転がり軸受１０は、自動車のエンジン周辺補機に使用されるアイドラプーリ４０に使用される外輪回転タイプの単列玉軸受であって、内輪１２と、外輪１４と、単列の玉１６と、玉１６を保持する保持器１８と、内輪１２と外輪１４との間を覆うシール２０と、シール２０の軸受外方側に設けられるスリンガ３０とから構成される。そして、これらの構成要素うちで、シール２０及びスリンガ３０が転がり軸受１０を密封する密封装置を形成する。
【００１９】
図２は、図１の転がり軸受の密封装置に関する部分の拡大断面図である。図２を参照しつつ説明する。
シール２０は、芯金２１と、芯金２１に加硫接着されて一体化された環状の弾性部材２４とからなる。
【００２０】
芯金２１は、外輪１４の内周面端部に設けられたシール溝１５に装着される固定部２２と、固定部２２の内周縁部から径方向内方へ延在する芯金円板部２３とからなる。芯金２１の材料としては、例えば、防錆処理された冷延鋼板のＳＰＣＣが用いられる。
【００２１】
弾性部材２４は、固定部２２覆うように形成されシール溝１５に嵌合する嵌合部２５と、嵌合部２５から芯金円板部２３の外周面に沿って形成される基部２６と、基部２６から径方向内方且つ軸受内方側に延在して、内輪１２の外周側で軸線に垂直に形成された摺接部１３に摺接するリップ２７とからなる。シール２０が外輪１４と共に高速回転すると、リップ２７は内輪１２の摺接部１３に摺接しながら高速回転する。そのため、リップ２７は摺接部１３に対して軽接触とされている。弾性部材２４の材料としては、例えば、ニトリルゴムが用いられる。
【００２２】
スリンガ３０は、シール２０の軸受外方側であって、内輪１２の外周面端部に嵌合する円筒状の円筒部３１と、円筒部３１の軸受外方側の縁部から径方向外方へ延在して外輪１４の内周面との間でラビリンスＲを形成する円板部３２とを備える。スリンガ３０の材料としては、例えば、防錆処理された冷延鋼板のＳＰＣＣが用いられる。さらに、スリンガ３０には、突起３３が円板部３２の軸受内方側の径方向に連続して、例えば金属が溶接により形成されている。突起３３は、シール２０の軸受外方側の端面に非接触で近接して設けられる。
【００２３】
図３は、図２におけるスリンガ３０のＡ−Ａ矢視図である。図３を参照しつつ説明する。
スリンガ３０に設けられる突起３３は、密封装置が使用される状態の姿勢において軸線方向断面で見て、密封装置の軸線に対して下側の一箇所に配置されている。
【００２４】
図４は、図３におけるスリンガ３０のＢ−Ｂ断面図である。図４を参照しつつ説明する。
スリンガ３０に設けられる突起３３は、円板部３２の軸受内方側に突起して形成されている。
【００２５】
次に、転がり軸受１０の密封装置の作用について、主に図３を参照しつつ説明する。
転がり軸受１０は、外輪１４が回転すると外輪１４に固定されたシール２０が外輪１４と共に、矢印Ｃで示す方向へ回転する。シール２０の回転にならってシール２０とスリンガ３０との間の空気に流れが発生する。その結果、シール２０とスリンガ３０との間に侵入した異物５０は、空気の流れによって矢印Ｄで示す方向へ移動する。移動する異物５０が、突起３３によって堰き止められる。そして、異物５０が矢印Ｅで示す方向へ移動して軸受の径方向外方へ排出される。
【００２６】
また、突起３３が軸受の軸線に対して下側に配置されているので、突起３３により堰き止められた異物５０が重力方向へ排出される。そのため、転がり軸受１０は、排出された異物５０が再び密封装置に降りかかるのを防止できる。
【００２７】
また、突起３３が、固定輪である内輪１２に装着されたスリンガ３０に形成されているので、転がり軸受１０が回転しても突起３３とシール２０との間の距離を保持できる。そのため、転がり軸受１０は、安定して突起３３が異物５０を堰き止め、軸受の外部へ排出することができる。
【００２８】
以上のように、本実施の形態に係る転がり軸受の密封装置によれば、スリンガ３０とシール２０との間に侵入した異物５０を効果的に排出して滞留するのを低減することができる。
【００２９】
なお、上記実施形態では、突起３３が円板部３２の径方向の一箇所に連続して配置されるとしたが、それに限るものではなく、例えば、径方向でなくともよく、また、連続していない構成に適用してもよい。
【００３０】
また、上記実施形態では、突起３３が軸受の軸線に対して下側の一箇所に配置されているとしたが、それに限るものではなく、例えば、転がり軸受の密封装置が使用される環境などにより突起を配置する位置及び個数を適宜決定すればよい。
【００３１】
また、上記実施形態では、突起３３は、シール２０の軸受外方側の端面に非接触で近接して設けられるとしたが、それに限るものではなく、例えば、スリンガ３０に加硫接着されて一体化された弾性体からなり、シール２０の軸受外方側の端面に軽接触して摺接する構成に適用してもよい。これにより、スリンガ３０とシール２０との間に侵入した異物５０を確実に堰き止め、そして、径方向外方へ効果的に排出して滞留するのを低減することができる
【００３２】
また、上記実施形態では、スリンガ３０は、内輪１２の外周面端部に嵌合するとしたが、それに限るものではなく、例えば、内輪１２の軸方向外方側の端面とアイドラプーリを取り付ける取付部材（例えば、ボルト）との間に挟持する構成に適用してもよい。
【００３３】
また、上記実施形態では、アイドラプーリに使用する転がり軸受の密封装置の構成について説明したが、本発明は転がり軸受全般に用いられる密封装置においても、もちろん適用できるものである。
【符号の説明】
【００３４】
１０：転がり軸受、  １２：内輪、  １３：摺接部、  １４：外輪、  １５：シール溝、１６：玉、  １８：保持器、  ２０：シール、  ２１：芯金、  ２２：固定部、  ２３：芯金円板部、  ２４：弾性部材、  ２５：嵌合部、  ２６：基部、  ２７：リップ、  ３０：スリンガ、  ３１：円筒部、  ３２：円板部、  ３３：突起、  ４０：アイドラプーリ、  ５０：異物、  Ｒ：ラビリンス
【図１】
2013204755.tif 000003
【図２】
2013204755.tif 000004
【図３】
2013204755.tif 000005
【図４】
2013204755.tif 000006